(57)【要約】【課題】液晶パネルに偏光を揃えた光を照射するプロジェクタ装置の照明光学系を小型化する。【解決手段】照明光源３の光を反射鏡１４で反射し、ロッド型インテグレータ１５を介し、レンズ群１６で集光する。このレンズ群１６から出射した光を偏光ビームスプリッタ１７の偏光分離面１７ｃに入射する。偏光分離面１７ｃで、Ｐ偏光光を反射し、液晶パネル５に導く。偏光分離面１７ｃで、Ｓ偏光光を透過し、放熱板２１に入射する。Ｓ偏光光は、放熱板２１の黒色面２１ａで熱となり、ファン装置２３で筐体３の外部に放熱する。偏光光を変換する構成に比べ、光学系の径寸法を小さくできる。【選択図】        図１
2004252087.tif 000002
【特許請求の範囲】
【請求項１】
照明光源から照射される光が入射される入射部、この入射部から入射した光が反射しながら導かれる導光部、及び導光部で導かれた光が出射する出射部を備えたロッド型インテグレータと、
このロッド型インテグレータから出射された光をＰ偏光光とＳ偏光光とに分離し、一方の偏光光を光路に出射し、他方の偏光光は前記光路とは異なる方向に出射する偏光分離手段と
を具備したことを特徴とする照明光学系。
【請求項２】
偏光分離手段から出射された偏光光のいずれか一方を遮る遮光手段を備えた
ことを特徴とする請求項１記載の照明光学系。
【請求項３】
遮光手段は、放熱手段を備えた
ことを特徴とする請求項１または２記載の照明光学系。
【請求項４】
放熱手段は、ファン装置を備えた
ことを特徴とする請求項１ないし３いずれか一記載の照明光学系。
【請求項５】
遮光手段は、偏光光を受ける黒色面を備える
ことを特徴とする請求項１ないし４いずれか一記載の照明光学系。
【請求項６】
照明光源と、
この照明光源から照射された光を変調する変調手段と、
前記照明光源から照射された光を前記変調手段に導く請求項１ないし５いずれか一記載の照明光学系と、
前記変調手段から出射された光線を投射する投射光学系と
を具備したことを特徴とするプロジェクタ装置。
【請求項７】
変調手段は、液晶パネルを備えた
ことを特徴とする請求項６記載のプロジェクタ装置。
【発明の詳細な説明】
【０００１】
【発明の属する技術分野】
本発明は、偏光を揃えて出射する照明光学系及びこの照明光学系を用いたプロジェクタ装置に関する。
【０００２】
【従来の技術】
従来、液晶パネルを用いて画像をスクリーンに投射するプロジェクタ装置（投写型液晶表示装置）が知られている。そして、このようなプロジェクタ装置の光学系は、例えば、白色光を照射する照明光源を有し、この照明光源から照射された照明光を偏光ビームスプリッタによりＰ偏光あるいはＳ偏光のいずれか一方の偏光光とする。そして、この偏光された照明光を、色光分離光学手段により、赤（Ｒ）、緑（Ｇ）、青（Ｂ）の３つの色光に色分離する。次いで、この色分離された色光を、それぞれ色光毎に備えられている液晶パネルを透過させ、光変調を行う。そして、この光変調された色光を色光合成手段により再び一つの光束になるように合成した後、投射光学系を介してスクリーン上に画像を拡大投射するようになっている。
【０００３】
また、このようなプロジェクタ装置においては、照明光源として、一般に、メタルハライドランプやキセノンランプなどが採用されている。そして、これらのランプは、アーク部が発光した光を、球面あるいは回転楕円面の反射鏡を用いて指向性を持たせることにより、照明光が効率良く液晶パネルや投射光学系に導かれるようになっている。
【０００４】
ところで、照明光源のアーク部は、点照明光源に近い状態で発光するため、照度分布は、アーク部の存在する中心部ほど高く、アーク部から離間する周辺部ほど低くなり、照度にむらが存在する。そして、このように照度にむらがある照明光により画像をスクリーンに投射すると、投射された画像の照度についても、中心部が高く周辺部が低いとのむらが生じてしまう。
【０００５】
そこで、従来、例えば、複数のレンズ要素を格子状に配列して構成されたフライアイレンズを、照明光源の投射方向に互いに前後させて２枚配置し、照明光源側に配置される１枚目のフライアイレンズにより照明光をレンズ要素の数に分割するとともに、この分割された照明光を２枚目のフライアイレンズにより液晶パネル面上で重ね合わせるようにして、照度の均一化を図っている（例えば、特許文献１及び特許文献２参照。）。
【０００６】
また、このフライアイレンズによりレンズ要素の数に分割された照明光は、偏光ビームスプリッタにより、偏光方向が揃った光に変換されるようになっている。そして、この偏光ビームスプリッタは、フライアイレンズの行方向（上下方向）に沿って配列されたレンズ要素から出射された一連の複数の照明光がひとまとまりで入射するように、上下方向に細長い偏光ビームスプリッタを、フライアイレンズの列方向（左右方向）の並び数分だけ列方向に連ねて接合した構成となっている。
【０００７】
しかしながら、フライアイレンズは、複数のレンズ要素が格子状に配列されるものであるため、面積が大きくなるとともに、前後に２枚必要であるため、装置の大型化を招く問題を有している。また、フライアイレンズを用いると、上記のように、偏光ビームスプリッタも、複数の細長い偏光ビームスプリッタをフライアイレンズのレンズ要素の列数に対応して接合させたものとなるため、製造の際に高い加工精度や工数を必要とし、製造コストが上昇する問題を有している。
【０００８】
この点、近年、照明光の照度の均一化を図る手段として、上記のフライアイレンズに代えて、ロッド型インテグレータあるいはガラスロッドなどと称される光学要素が用いられている（例えば、特許文献３参照。）。
【０００９】
このロッド型インテグレータは、ガラス製の棒状で、一端側から入射した光をガラス棒の内壁面で複数回反射させることにより、他端側から複数の照明光源像として出射させ、照明光の照度を均一化する機能を有している。
【００１０】
そして、このようなロッド型インテグレータを用いた場合には、以下に示す構成の偏光ビームスプリッタが用いられている。
【００１１】
すなわち、この偏光ビームスプリッタは、ロッド型インテグレータから出射された照明光の全ての光束が入射する広さの偏光分離面を有し、この偏光分離面に入射した照明光を、Ｓ偏光光及びＰ偏光光のいずれか一方の偏光光を透過し他方の偏光光を反射して、２つの異なる偏光方向の光束に偏光分離する。そして、反射あるいは透過されたいずれか一方の偏光光を位相差板に透過させ、他方の偏光光の偏光方向に揃えるとともに、これら２つの偏光光の光束を並行して出射する構成となっている。
【００１２】
しかしながら、このようにロッド型インテグレータと偏光ビームスプリッタとを組み合わせた構成では、偏光ビームスプリッタから２つの光束が並行して出射されるため、偏光ビームスプリッタに入射した光束に比べ、光束の幅が概ね２倍に拡幅されることになる。
【００１３】
従って、拡幅された照明光が遮られる（けられる）ことの無いように、偏光ビームスプリッタから投射光学系までのレンズなどの光学部品を、大きな口径を有するように構成する必要があり、その結果、プロジェクタ装置も全体として大型化する問題を有している。
【００１４】
【特許文献１】
特開平１０−１１５７９９号公報
【００１５】
【特許文献２】
特開２００１−１７４８１１号公報
【００１６】
【特許文献３】
特開２０００−１００４７号公報
【００１７】
【発明が解決しようとする課題】
上記のように、ロッド型インテグレータと偏光ビームスプリッタとを組み合わせた構成では、偏光ビームスプリッタから２つの光束が並行して出射されるため、偏光ビームスプリッタに入射した光束に比べ、光束の幅が概ね２倍に拡幅され、大きな口径の光学部品が必要になり、プロジェクタ装置も全体として大型化する問題を有している。
【００１８】
本発明は、このような点に鑑みなされたもので、偏光の揃った光を出射できる照明光学系及び小型化が可能なプロジェクタ装置を提供することを目的とする。
【００１９】
【課題を解決するための手段】
請求項１記載の照明光学系は、照明光源から照射される光が入射される入射部、この入射部から入射した光が反射しながら導かれる導光部、及び導光部で導かれた光が出射する出射部を備えたロッド型インテグレータと、このロッド型インテグレータから出射された光をＰ偏光光とＳ偏光光とに分離し、一方の偏光光を光路に出射し、他方の偏光光は前記光路とは異なる方向に出射する偏光分離手段とを具備したものである。
【００２０】
そして、この構成では、簡略な構成で、偏光の揃った光が出射され、この照明光学系を備えた装置の小型化が可能になる。
【００２１】
請求項２記載の照明光学系は、請求項１記載の照明光学系において、偏光分離手段から出射された偏光光のいずれか一方を遮る遮光手段を備えたものである。
【００２２】
そして、この構成では、利用しない偏光光が遮光手段により遮られる。
【００２３】
請求項３記載の照明光学系は、請求項１または２記載の照明光学系において、遮光手段は、放熱手段を備えたものである。
【００２４】
そして、この構成では、遮光手段に生じた熱が放熱手段により放出され、この照明光学系を備えた装置の加熱が防止される。
【００２５】
請求項４記載の照明光学系は、請求項１ないし３いずれか一記載の照明光学系において、放熱手段は、ファン装置を備えたものである。
【００２６】
そして、この構成では、遮光手段に生じた熱が強制的に放出され、この照明光学系を備えた装置の加熱が防止される。
【００２７】
請求項５記載の照明光学系は、請求項１ないし４いずれか一記載の照明光学系において、遮光手段は、偏光光を受ける黒色面を備えるものである。
【００２８】
そして、この構成では、遮光手段側の偏光光が熱として効率良く吸収され、偏光光の遮光手段での反射が抑制される。
【００２９】
請求項６記載のプロジェクタ装置は、照明光源と、この照明光源から照射された光を変調する変調手段と、前記照明光源から照射された光を前記変調手段に導く請求項１ないし５いずれか一記載の照明光学系と、前記変調手段から出射された光線を投射する投射光学系とを具備したものである。
【００３０】
そして、この構成では、偏光の揃った光を変調して投射されるとともに、小型化が可能になる。
【００３１】
請求項７記載のプロジェクタ装置は、請求項６記載のプロジェクタ装置において、変調手段は、液晶パネルを備えたものである。
【００３２】
そして、この構成では、偏光の揃った光が液晶パネルで変調して投射される。
【００３３】
【発明の実施の形態】
以下、本発明の照明光学系及びプロジェクタ装置の一実施の形態を図面を参照して説明する。
【００３４】
図１において、１はプロジェクタ装置としての投写型液晶表示装置で、この投写型液晶表示装置１は、筐体２に、照明光源３、以下に説明する光学部品から構成される照明光学系４、変調手段としての複数の液晶パネル（液晶表示パネル）５、投射光学系６、遮光手段７、及び、図示しない制御手段、操作部、表示部、電源装置などを収納し、あるいは取り付けるなどして構成されている。また、図中、一点鎖線は、画像の投射に寄与する光の光路Ｃを示している。
【００３５】
そして、照明光源３は、白色光を放射するメタルハライドランプやキセノンランプなどの光源１１と、この光源１１に光学的に対向する曲面状である回転楕円面の反射鏡（楕円反射鏡）１２とを備えて構成されている。なお、以下の説明において、反射鏡１２の第１焦点位置と第２焦点位置とを次のように区別する。すなわち、反射鏡１２に近い側の焦点位置を第１焦点位置として記載し、反射鏡１２から遠い側、すなわち開口部側の焦点位置を第２焦点位置として説明する。そして、この反射鏡１２の第１焦点位置に配置された光源１１から放射された光は、反射鏡１２の回転楕円面の反射面で反射され、第２焦点位置に集光される。
【００３６】
そして、照明光源３の前方、すなわち、照明光の進行方向には、照明光学系４を構成する、第１反射鏡である反射鏡１４、ロッド型インテグレータ１５、レンズ群１６、偏光分離手段としての偏光ビームスプリッタ１７、集光レンズ１８などが配置されている。そして、ロッド型インテグレータ１５は、ロッド型光インテグレータ、ロッド棒、あるいはロッドガラスなどとも呼ばれるもので、一端部に入射部（入射開口）１５ａが設けられ、他端部に出射部（出射開口）１５ｂが設けられ、これら入射部１５ａと出射部１５ｂとの間の内壁面が導光部１５ｃとなっている。そして、このロッド型インテグレータ１５は、照明光源３の集光する位置、すなわち、反射鏡１２の第２焦点位置に、入射部１５ａを一致して配置されている。そして、この入射部１５ａから入射した光は、ガラス管の内壁面である導光部１５ｃで複数回反射し、複数の光源像として出射部１５ｂから出射する機能を有している。なお、出射部１５ｂの縦横寸法の比は、照明光が液晶パネル５に効率良く入射できるように、液晶パネル５の縦横寸法の比に概ね一致するように構成している。そして、本実施の形態では、ロッド型インテグレータ１５は、例えば、断面が四角状のガラス管であり、入射部１５ａの開口の縦横寸法が５ｍｍ×５ｍｍ、出射部１５ｂの開口の縦横寸法が５ｍｍ×６．６７ｍｍ、長手寸法すなわち導光部１５ｃの光路Ｃに沿った長さは６０ｍｍとして構成されている。
【００３７】
そして、ロッド型インテグレータ１５から出射した照明光は、レンズ群１６に入射する。そして、このレンズ群１６は、ロッド型インテグレータ１５の出射部１５ｂから発散状態で出射する照明光を平行光束に収束させる集光レンズとしての機能を有している。そして、照明光を平行光束とすることにより、照明光が偏光ビームスプリッタ１７内に効率良く入射する。
【００３８】
そして、この偏光ビームスプリッタ１７は、２個の直角プリズム１７ａ，１７ｂの傾斜面同士を貼り合わせて構成され、張り合わされた傾斜面に、Ｐ偏光光とＳ偏光光との内の一方を透過し他方を反射する偏光分離面１７ｃ、本実施の形態では、Ｐ偏光光を反射するとともに、Ｓ偏光光を透過する機能を有する偏光分離面１７ｃが形成されている。従って、ランダムな偏光方向に偏光した状態で偏光ビームスプリッタ１７に入射した照明光は、Ｐ偏光光については、偏光分離面１７ｃで反射されて後段の集光レンズ１８に入射し、Ｓ偏光光については、偏光分離面１７ｃを透過して、２点鎖線Ａに示すように、照明光学系４の光路Ｃ外に出射される。
【００３９】
なお、偏光分離面１７ｃにおける特性、すなわち、Ｓ偏光光を透過しＰ偏光光を反射する特性は、この偏光分離面１７ｃへの入射角に依存し、４５度で入射した状態で所望の特性が得られるようになっている。そこで、レンズ群１６で照明光を平行光束にすることにより、偏光分離面１７ｃに照明光が４５度で入射し、偏光分離が効率良く行われる。
【００４０】
そして、偏光分離面１７ｃを透過し、光路Ｃ外に出射されたＳ偏光光の照明光は、投写型液晶表示装置１の筐体２側に設けられた遮光手段７を構成する放熱板２１に入射して受けられるようになっている。そして、この放熱板２１は、例えばアルミ板で、少なくとも照明光が入射する入射面側、例えば、筐体２の内部側に臨む面は、黒色に塗装された黒色面２１ａとされ、照明光の入射面での反射を低減し、熱の吸収効率が高められている。
【００４１】
また、この放熱板２１の、照明光が入射する面とは反対の面は、筐体２の外部側に臨み、この放熱板２１に入射した照明光による発熱は、筐体２の外部に放熱されるようになっている。さらに、この放熱板２１の外側には、放熱手段を構成するファン装置２３が設けられ、このファン装置２３により、放熱板２１の熱を筐体２の外部に強制的に放熱するようになっている。また、このファン装置２３は、投写型液晶表示装置１の電源のオン・オフに連動して駆動される図示しないモータにより駆動されている。
【００４２】
一方、偏光ビームスプリッタ１７の偏光分離面１７ｃで反射されたＰ偏光光の照明光は、集光レンズ１８に入射し、この集光レンズ１８により、ロッド型インテグレータ１５から複数の光源像として出射された照明光が、各液晶パネル５の入射面にそれぞれ重ね合わされる。すなわち、ロッド型インテグレータ１５の入射部１５ａでの照明光は、周辺部の照度が低く、中央部側ほど照度が高い照度分布となっているが、このような照度分布の照明光をロッド型インテグレータ１５で複数の光源像とした後、各液晶パネル５の入射面で重ね合わせることにより、各液晶パネル５の表示面を照度むらが小さい状態で照明できるようになっている。
【００４３】
そして、本実施の形態では、偏光が揃えられ集光レンズ１８から出射された照明光を、色光分離光学手段を構成する２枚のダイクロイックミラー３１，３２により、赤（Ｒ）、緑（Ｇ）、青（Ｂ）の３つの色光に色分離し、この色分離された色光を、それぞれ色光毎に備えられている３枚の液晶パネル５Ｒ，５Ｇ，５Ｂに透過させ、光変調を行い、この光変調された色光を色光合成手段である色光合成プリズム３３により再び一つの光束になるように合成した後、投射光学系６を介して図示しないスクリーン上にカラーの画像を拡大して投射する。
【００４４】
すなわち、集光レンズ１８から出射された照明光は、第１のダイクロイックミラー３１に入射し、この第１のダイクロイックミラー３１で、青色光は透過され、緑色光と赤色光は反射される。そして、この第１のダイクロイックミラー３１を透過した青色光は、反射鏡３５を介して青色用の液晶パネル５Ｂに入射する。また、第１のダイクロイックミラー３１で反射された赤色光と緑色光とは、第２のダイクロイックミラー３２に入射し、この第２のダイクロイックミラー３２で、緑色光は反射され、赤色光は透過される。そして、第２のダイクロイックミラー３２で反射された緑色光は緑色用の液晶パネル５Ｇに入射し、第２のダイクロイックミラー３２を透過した赤色光は赤色用の液晶パネル５Ｒに入射する。
【００４５】
また、色光合成プリズム３３は、第１及び第２の２個の平行四辺形プリズム３３ａ，３３ｂと、１個の直角プリズム３３ｃとを備えている。そして、色光合成プリズム３３は、２個の平行四辺形プリズム３３ａ，３３ｂが略Ｌ字状をなすように接合され、第２の平行四辺形プリズム３３ｂの第１の平行四辺形プリズム３３ａに接合されていない面に、直角プリズム３３ｃが斜辺面を接合して取り付けられ、全体として略Ｌ字状をなすように構成されている。また、第１の平行四辺形プリズム３３ａと第２の平行四辺形プリズム３３ｂとの貼り合わせ面には、赤色光を透過し青色光と緑色光とを反射する特性を有する第１のダイクロイック面３３ｄが形成されている。そして、第１の平行四辺形プリズム３３ａの、この第１のダイクロイック面３３ｄと平行なプリズム面には、全反射面３３ｅが形成されている。また、第２の平行四辺形プリズム３３ｂと直角プリズム３３ｃとの貼り合わせ面には、青色光を透過し緑色光を反射する特性を有する第２のダイクロイック面３３ｆが形成されている。
【００４６】
そして、赤色用の液晶パネル５Ｒは、２個の平行四辺形プリズム３３ａ，３３ｂで形成されるＬ字型の内角の面であって、第１の平行四辺形プリズム３３ａの面に臨んで配置されている。また、緑色用の液晶パネル５Ｇは、この２個の平行四辺形プリズム３３ａ，３３ｂで形成されるＬ字型の内角の面であって、第２の平行四辺形プリズム３３ｂの面に臨んで配置されている。さらに、青色用の液晶パネル５Ｂは、直角プリズム３３ｃの直角面に配置されている。
【００４７】
そして、赤色用の液晶パネル５Ｒは、第１のダイクロイックミラー３１で反射され第２のダイクロイックミラー３２を透過した赤色光の光変調を行い、緑色用の液晶パネル５Ｇは、第１のダイクロイックミラー３１で反射され第２のダイクロイックミラー３２で反射された緑色光の光変調を行い、青色用の液晶パネル５Ｂは、第１のダイクロイックミラー３１を透過し反射鏡３５で反射された青色光の光変調を行う。
【００４８】
さらに、赤色用の液晶パネル５Ｒを透過し変調された赤色光は、全反射面３３ｅで第１のダイクロイック面３３ｄに向けて全反射される。また、緑色用の液晶パネル５Ｇを透過し変調された緑色光は、第２のダイクロイック面３３ｆで第１のダイクロイック面３３ｄに向けて反射され、青色用の液晶パネル５Ｂを透過し変調された青色光は、第２のダイクロイック面３３ｆを透過し第１のダイクロイック面３３ｄに進む。そして、第１のダイクロイック面３３ｄでは、全反射面３３ｅからの赤色光が透過されるとともに、第２のダイクロイック面３３ｆからの緑色光と青色光とが反射されることにより、３つの色光が合成される。そうして、このように色合成された照明光は、第２の平行四辺形プリズム３３ｂの出射面３３ｇを垂直に通過し、投射光学系６に入射され、スクリーンに投射される。
【００４９】
なお、各液晶パネル５Ｒ，５Ｇ，５Ｂと投射光学系６との間の光路Ｃの長さが互いに等しくなるように、各平行四辺形プリズム３３ａ，３３ｂや直角プリズム３３ｃ、及び液晶パネル５Ｒ，５Ｇ，５Ｂの取付位置などが設定されている。
【００５０】
また、各平行四辺形プリズム３３ａ，３３ｂ及び直角プリズム３３ｃは、プラスチック材、具体的には、アクリル樹脂やポリカーボネート、あるいはシクロオレフィンポリマーなどの光透過率が高いプラスチック材から構成される。そして、このように色合成手段となる色光合成プリズム３３をプラスチック材により構成することで、投写型液晶表示装置１の軽量化やコストの低減が図られている。
【００５１】
なお、各液晶パネル５Ｒ，５Ｇ，５Ｂの入射側には、色光の各液晶パネル５Ｒ，５Ｇ，５Ｂへの入射光量を多くするため、各液晶パネル５Ｒ，５Ｇ，５Ｂに入射する色光の光束を平行光束にする集光レンズ３８，３９，４０がそれぞれ配置されている。
【００５２】
そして、本実施の形態によれば、所定の光路Ｃに沿って反射鏡１４、ロッド型インテグレータ１５、偏光ビームスプリッタ１７、ダイクロイックミラー３１，３２などの光学部品を配置し、投写型液晶表示装置１の小型化、軽量化を可能としている。
【００５３】
すなわち、各液晶パネル５Ｒ，５Ｇ，５Ｂに入射する光は、偏光ビームスプリッタ１７の偏光分離面１７ｃで反射されたＰ偏光光のみであり、偏光の揃った光を各液晶パネル５Ｒ，５Ｇ，５Ｂに入射させることができる。
【００５４】
そして、投射光学系６に導かれない偏光光、本実施の形態ではＳ偏光光は、偏光ビームスプリッタ１７の偏光分離面１７ｃを透過させ、放熱板２１で熱として外部に放熱して処理するため、照明光学系４を小型化、軽量化し、投写型液晶表示装置１を小型化、軽量化できる。すなわち、従来のように、偏光分離した一方の偏光光を位相差板に透過させ、他方の偏光光の偏光方向に揃えるとともに、これら２つの偏光光の光束をプリズムなどを用いて平行に出射する構成では、偏光ビームスプリッタから投射光学系に向けて出射される照明光の光束幅が、偏光ビームスプリッタに入射する光束幅に比べて概ね２倍となるが、本実施の形態では、Ｓ偏光光は、プリズムや反射鏡を用いずに単に直進した状態で処理し、偏光分離面１７ｃで反射したＰ偏光光の光束のみを後段の光学部品を構成する集光レンズ１８に入射させるようにしたため、光学部品の口径を小さくでき、投写型液晶表示装置１の大きさも容易に小さくできる。
【００５５】
また、投写型液晶表示装置１の遮光手段７を構成する放熱板２１は、少なくとも偏光光を受ける面を黒色に塗装を施した黒色面２１ａとしたため、投射光学系に導かれなかった偏光光の放熱板２１の入射面での反射を低減し、迷光を抑制して光学特性を向上できるとともに、効率良く放熱板２１への熱の吸収効率を高めることができる。さらに、放熱板２１の外部に設けたファン装置２３により、放熱板２１の熱を強制的に筐体２すなわち投写型液晶表示装置１の外部に放熱できる。
【００５６】
さらに、従来のフライアイレンズに比べて小さなロッド型インテグレータ１５を用いたため、上記の偏光を揃える構成と相俟って、投写型液晶表示装置１の小型化、軽量化を容易に図ることができる。
【００５７】
また、照明光の光路Ｃについて、照明光源３とロッド型インテグレータ１５との間には、照明光源３から照射された照明光を直角に折り曲げてロッド型インテグレータ１５に入射させる反射鏡１４が配置されている。さらに、レンズ群１６と集光レンズ１８との間には、偏光ビームスプリッタ１７の偏光分離面１７ｃが配置され、この偏光分離面１７ｃにより、レンズ群１６から出射された照明光のうち、スクリーンに投射されることになるＰ偏光光が、照明光源３とロッド型インテグレータ１５との間の反射鏡１４で折り曲げられた側と同じ側に直角に折り曲げられる。すなわち、反射鏡１４と偏光分離面１７ｃとにより、照明光は、照明光の進行方向に向かって左側に２回直角に折り曲げられ、偏光分離面１７ｃで反射した照明光は、照明光源３から反射鏡１４に向かう照明光とは平行かつ反体側に進行する照明光となる。
【００５８】
このように、照明光源３と反射鏡１４とを通る光路Ｃと、偏光分離面１７ｃと集光レンズ１８とを通る光路Ｃとが、ロッド型インテグレータ１５とレンズ群１６とを通る光路Ｃを挟むような形をとり、全体として略コの字状の光路Ｃを呈する光学部品の配置となっている。そして、このように、光学部品を光路Ｃが略コの字状となるように配置したため、立方体状をなす投写型液晶表示装置１の筐体２への光学部品の収まりが良好になり、小型化や軽量化を容易に図ることができる。そして、この結果、投写型液晶表示装置１を机上などに設置する際の設置スペースの縮小や、持ち運びの容易性などの向上を図ることが容易にできる。
【００５９】
なお、照明光源３とロッド型インテグレータ１５との間に配置される反射鏡１４を、ロッド型インテグレータ１５の入射部１５ａの近傍、すなわち、回転楕円面の反射鏡１４の第２焦点位置の近傍の位置に配置する場合には、この入射部１５ａの近傍の位置では光束が集光され光束の幅が小さくなっているため、反射鏡１４の反射面を小さくすることができ、投写型液晶表示装置１の一層の小型化を図ることができる。
【００６０】
さらに、２枚のダイクロイックミラー３１，３２をこれら、ダイクロイックミラー３１，３２同士の間の光路Ｃが、ロッド型インテグレータ１５とレンズ群１６とを通る光路Ｃと平行になるように配置することにより、反射鏡１４と偏光分離面１７ｃとにより略コの字状とされた光路Ｃの内側にダイクロイックミラー３１，３２を配置でき、さらに光学部品の筐体２への収まりを良好にでき、投写型液晶表示装置１の一層の小型化を図ることができる。
【００６１】
また、色光合成プリズム３３のダイクロイック面３３ｄ，３３ｆについても、ロッド型インテグレータ１５とレンズ群１６とを通る光路Ｃと平行になるように配置することにより、さらに一層、光学部品の筐体２への収まりを良好にでき、投写型液晶表示装置１の小型化を図ることができる。
【００６２】
また、上記の実施の形態に限られず、液晶パネル５と、これら液晶パネル５に入射する色光の色を上記の実施の形態とは異なる関係とすることもできる。例えば、第１のダイクロイックミラー３１を、赤色光を透過し緑色光と青色光とを反射させるものとし、第２のダイクロイックミラー３２を、青色光を反射させ緑色光を透過させるものとすることもできる。なお、この構成では、色光合成プリズム３３のダイクロイック面３３ｄ，３３ｆについても、投射光学系６に三色の色光が合成された照明光として入射する構成に変更する必要がある。
【００６３】
さらに、３枚の液晶パネル５を備える構成に限られず、１枚あるいは２枚の液晶パネルで構成される投写型液晶表示装置に適用することもできる。また、変調手段は、透過型の液晶パネルに限られず、反射型の液晶パネルにも適用でき、あるいは、揃えた偏光光を利用する適宜の表示デバイスを用いることができる。
【００６４】
また、上記の実施の形態では、偏光ビームスプリッタ１７の偏光分離面１７ｃで反射されたＰ偏光光を利用し、偏光分離面１７ｃを透過したＳ偏光光を熱して処理したが、この構成に限られず、Ｓ偏光光を利用し、Ｐ偏光光を熱して処理することもできる。
【００６５】
また、反射鏡１４は、板状のものに限られず、図１に破線１４ａで示すように、直角プリズムなどのプリズム体の底面に反射面を形成して構成することもできる。このように反射鏡１４をプリズム体で形成する場合には、このプリズム体の材質を、プラスチック材、例えば、アクリル樹脂やポリカーボネート、あるいはシクロオレフィンポリマーなどで構成することで、投写型液晶表示装置１の軽量化やコストの低減を容易に図ることができる。
【００６６】
さらに、ロッド型インテグレータ１５についても、例えば、アクリル樹脂やポリカーボネート、あるいはシクロオレフィンポリマーなどのプラスチック材で構成することにより、投写型液晶表示装置１の軽量化やコストの低減を容易に図ることができる。
【００６７】
また、上記の実施の形態では、遮光手段７は、アルミ板の放熱板２１に放熱手段を構成するファン装置２３を取り付けたが、この構成に限られず、例えば、放熱板は、熱伝導性の良好な金属で構成でき、放熱手段は、ペルチェ素子などの電子冷却素子を用い、小型化や静音化を図ることもできる。また、ファン装置は、ダクトなどを用いて電源装置のファン装置と兼用することもでき、あるいは、筐体２に放熱させてファン装置を省略することも可能である。
【００６８】
【発明の効果】
請求項１記載の照明光学系によれば、簡略な構成で、偏光の揃った光を出射でき、この照明光学系を備えた装置を小型化できる。
【００６９】
請求項２記載の照明光学系によれば、請求項１記載の効果に加え、利用しない偏光光を遮光手段により遮ることができる。
【００７０】
請求項３記載の照明光学系によれば、請求項１または２記載の効果に加え、遮光手段に生じた熱を放熱手段により放出し、この照明光学系を備えた装置の加熱を防止できる。
【００７１】
請求項４記載の照明光学系によれば、請求項１ないし３いずれか一記載の効果に加え、遮光手段に生じた熱を強制的に放出し、この照明光学系を備えた装置の加熱を防止できる。
【００７２】
請求項５記載の照明光学系によれば、請求項１ないし４いずれか一記載の効果に加え、遮光手段側の偏光光を熱として効率良く吸収し、偏光光の遮光手段での反射を抑制できる。
【００７３】
請求項６記載のプロジェクタ装置によれば、偏光の揃った光を変調して投射できるとともに、小型化できる。
【００７４】
請求項７記載のプロジェクタ装置によれば、請求項６記載の効果に加え、偏光の揃った光を液晶パネルで変調して投射できる。
【図面の簡単な説明】
【図１】本発明の照明光学系をそなえたプロジェクタ装置の一実施の形態を示す説明図である。
【符号の説明】
１    プロジェクタ装置としての投写型液晶表示装置
３    照明光源
４    照明光学系
５    変調手段としての液晶パネル
６    投射光学系
７    遮光手段
１５    ロッド型インテグレータ
１５ａ    入射部
１５ｂ    出射部
１５ｃ    導光部
１７    偏光分離手段としての偏光ビームスプリッタ
２１ａ    黒色面
２３    放熱手段を構成するファン装置
Ｃ    光路
【図１】
2004252087.tif 000003